(57)【要約】      （修正有）【課題】夜間に近所住民からエアーコンプレッサーの騒音苦情が生じないで、年中無休で２４時間使用できるトレーニングルームを実現する酸素環境制御システムを提供する。【解決手段】窒素を発生させる窒素ガス発生手段２と、エアーコンプレッサー３と、窒素ガス発生手段で発生した窒素を貯留する貯留タンク５０と、制御手段８と、を備え、制御手段は、予め定めた時間帯ではエアーコンプレッサーを非稼働状態にして、前記時間帯以外のときはエアーコンプレッサーを稼働可能状態にする制御をし、低酸素室３０への窒素ガスの供給は貯留タンクからのみとし、かつ、エアーコンプレッサー非稼働状態の時間帯に、低酸素室の予め設定した低酸素濃度を維持するために送給する窒素ガスの体積に低酸素室の圧力を乗じた乗算値を、エアーコンプレッサーで増圧可能な貯留タンク内の予め設定した圧力で除した値を超える値を貯留タンクの内容積とする。【選択図】図１
0003226776.tif 000002
【実用新案登録請求の範囲】
【請求項１】
低酸素室の室内を任意の酸素濃度の低酸素環境にする低酸素環境制御システムであって、
窒素を発生させる窒素ガス発生手段と、
前記窒素ガス発生手段に空気を送り込むエアーコンプレッサーと、
前記窒素ガス発生手段で発生した窒素を貯留する貯留タンクと、
制御手段と、を備え、
前記制御手段が、予め定めた時間帯のときは前記エアーコンプレッサーを非稼働状態にして、前記時間帯以外のときには前記エアーコンプレッサーを稼働可能状態にする制御をし、
前記低酸素室への窒素ガスの供給は前記貯留タンクからのみとし、かつ、前記エアーコンプレッサー非稼働状態の前記定めた時間帯に、前記低酸素室の予め設定した低酸素濃度を維持するために送給する窒素ガスの体積に前記低酸素室の圧力を乗じた乗算値を、前記エアーコンプレッサーで増圧可能な前記貯留タンク内の予め設定した圧力で除した値を超える値を前記貯留タンクの内容積とすることを特徴とする低酸素環境制御システム。
【請求項２】
前記定めた時間帯以外のときは、前記制御手段により、前記貯留タンク内の窒素ガスを測定する圧力測定手段が測定した圧力が前記時間帯に前記低酸素室に必要な窒素ガスを送給可能とするための予め定めた圧力以下のときに、前記エアーコンプレッサー及び前記窒素ガス発生手段を稼働させて外気から窒素ガスを分離して前記窒素ガスを前記貯留タンク内に送給し、前記貯留タンク内の窒素ガスの圧力を前記予め定めた圧力に維持する制御をすることを特徴とする請求項１に記載の低酸素環境制御システム。
【請求項３】
前記貯留タンクからの窒素ガスの流動を制御する窒素ガスストップ弁と、
前記貯留タンクから前記低酸素室内に供給する窒素の流量を調整する流量調整弁と、
前記低酸素室内の酸素濃度を測定する酸素濃度測定手段と、
前記低酸素室内の炭酸ガス濃度を測定する炭酸ガス濃度測定手段と、
前記低酸素室内の空気を排出する排気手段と、
前記低酸素室内へ外気を取り入れる送風手段と、
前記低酸素室内の空気を循環させる空調機と、を備え、
前記酸素濃度測定手段で測定した酸素濃度が予め定めた濃度から変動したときは、前記制御手段により予め定めた酸素濃度になるまで、前記流量調整弁により前記貯留タンクからの窒素ガスの流量を調整し、前記低酸素室内空気の排気をする前記排気手段をＯＮ−ＯＦＦ制御し、外気を取り入れる前記送風手段をＯＮ−ＯＦＦ制御し、前記空調機で前記低酸素室内の空気を循環させる制御をすることを特徴とする請求項１又は２に記載の低酸素環境制御システム。
【請求項４】
前記低酸素室の室内の酸素濃度を予め定めた低酸素濃度に低下させるときは、前記制御手段により、前記窒素ガスストップ弁を開にし、前記酸素濃度測定手段による酸素濃度が予め定めた酸素濃度になるまで、前記貯留タンク内の前記窒素ガスを前記流量調整弁により流量を調整しながら前記低酸素室内に送給し、前記排気手段及び前記送風手段をＯＦＦさせ、前記空調機により前記低酸素室内の空気を循環させる制御をすることを特徴とする請求項１〜３のいずれかに記載の低酸素環境制御システム。
【請求項５】
前記炭酸ガス濃度測定手段による炭酸ガス濃度が予め定めた炭酸ガス濃度を超えたときには、前記制御手段により、前記窒素ガスストップ弁を閉にし、前記排気手段をＯＮさせて前記低酸素室内空気を排気し、前記送風手段をＯＮさせて外気を取り入れ、前記空調機で前記低酸素室内の空気を循環させる制御をすることを特徴とする請求項１〜４のいずれかに記載の低酸素環境制御システム。
【請求項６】
前記酸素濃度測定手段による酸素濃度が予め定めた酸素濃度より下回ったときは、前記制御手段により、前記窒素ガスストップ弁を閉にして前記流量調整弁を絞って、前記排気手段、前記送風手段及び前記空調機をＯＮさせて動作させることを特徴とする請求項１〜５のいずれかに記載の低酸素環境制御システム。
【請求項７】
前記窒素ガス発生手段により分離された酸素を貯留する酸素タンクと、
前記流量調整弁の上流側でかつ前記窒素ガスストップ弁の下流側で、前記貯留タンクに接続された配管と前記酸素タンクに接続された配管との合流点に設けた三方切替弁と、
前記酸素タンクと前記三方切換弁との間に設けた酸素ストップ弁と、を備え、
前記酸素濃度測定手段による酸素濃度が予め定めた酸素濃度より下回ったときは、前記制御手段により、前記窒素ガスストップ弁を閉にして前記酸素ストップ弁を開にして、前記三方切換弁を酸素側に切り換えて前記酸素タンクからの酸素を前記流量調整弁で流量調整しながら前記低酸素室へ送給し、前記排気手段、前記送風手段及び前記空調機をＯＮさせて動作させることを特徴とする請求項１〜５のいずれかに記載の低酸素環境制御システム。
【考案の詳細な説明】
【技術分野】
【０００１】
本考案は、低酸素濃度の高所における健常者のトレーニング環境や、高齢者や障害者のトレーニング環境となる低酸素環境を実現する低酸素環境制御システムに関する。
【背景技術】
【０００２】
特許文献１には、特殊環境室に特殊組成の空気を送給する特殊組成空気送給装置において、所定の吐出量及び吐出圧力を持つ圧縮機と、その吐出量の一部分を導入して圧力変動吸着法又はポリイミド中空糸透過法のうちの何れかの方法によって窒素又は酸素のうちの少なくとも一方を製造して出口側から送り出す気体製造装置と、前記吐出量の他の一部分が流されるバイパス経路と、一方側に前記出口側及び前記バイパス経路が接続されると共に他方側が前記特殊環境室に接続され流入した気体を混合する混合部と、前記特殊環境室の空気が目的する所定の特殊組成になるように前記一部分と前記残部との流量調整を可能にする流量調整手段と、を有する特殊組成空気送給装置が開示されている。そして、制御装置については記載されておらず、酸素温度計を見ながら弁の微調整をすると記載されている。
【０００３】
特許文献２には、トレーニング室の空気を吸気して、酸素濃度及び炭酸ガス濃度をそれぞれ計測する酸素計測器及び炭酸ガス計測器と、外気を取り入れその空気から酸素と炭酸ガスを除去し窒素を発生させる窒素発生器が介在されかつこの窒素発生器からの窒素ガスを前記トレーニング室に送給する窒素送給系と、酸素を前記トレーニング室に送給する酸素送給系を備えるとともに、前記酸素計測器による酸素濃度に応じて前記窒素送給系による窒素送給量を制御する窒素制御手段と、前記炭酸ガス計測器による炭酸ガス濃度に応じて、前記酸素送給系による酸素送給量を制御する酸素制御手段を設けた低酸素濃度制御形トレーニング装置が開示されている。また、室内からエアーコンプレッサーによって排気した空気を酸素計測器により計測すると記載され、室内から空気をリーク穴から漏洩させることが記載されている。
【０００４】
特許文献３には、構築物内にトレーニングに適した環境を作り出すためのトレーニング環境の構築物であって、排気手段、空気送給手段、窒素ガス送給手段および、風量調節手段を有し、前記排気手段は、構築物内の空気を構築物外へ排気し、前記空気送給手段は、構築物外の空気を構築物内へ送給し、前記窒素ガス送給手段は、構築物内へ窒素ガスを送給し、前記風量調節手段は、前記空気送給手段が送給する空気と、前記窒素ガス送給手段が送給する窒素ガスとを、窒素ガスと酸素の濃度を調整して、構築物へ送風し、構築物内に常大気圧の低酸素濃度環境を作り出すトレーニング環境の構築物が開示されている。窒素ガス濃度検出器と酸素濃度検出器を設置しており、濃度によっては窒素ガス流路の電磁弁を制御する記載がある。
【０００５】
特許文献４には、排気量が必要であると共に変動する外気の侵入量がある低酸素室を目的とする低酸素条件にする空気送給装置において、前記排気量に対応する量の低低酸素条件の空気であって 前記変動する外気の侵入量のうちの少なくとも最大量と前記低酸素条件と前記排気量とから定まる酸素濃度の低低酸素条件の空気を前記低酸素室に送給可能な低低酸素空気送給手段と、前記低酸素室に通常空気を送給可能な通常空気送給手段と、前記低酸素室の酸素濃度を検出する検出手段と、前記検出手段が検出した酸素濃度がほぼ前記低酸素条件になるように前記通常空気の送給量を制 御する制御手段と、を有する空気送給装置が開示されている。また、低酸素室には酸素濃度センサしか設置されていない。
【先行技術文献】
【特許文献】
【０００６】
【特許文献１】特開平１０−２１６４５５号公報
【特許文献２】特開平１１−１１４１１９号公報
【特許文献３】特開２０００−２７４７２号公報
【特許文献４】特開平１１−２７６６３５号公報
【考案の概要】
【考案が解決しようとする課題】
【０００７】
特許文献１の特殊組成空気送給装置は、低酸素又は高酸素の特殊環境室の実現を課題としており、トレーニングルーム内を低酸素にするとき、高酸素にするとき、又は、トレーニングルームの酸素濃度計が検知した酸素濃度を設定した酸素濃度にするときに、エアーコンプレッサーを昼夜関係なく稼働させている。トレーニングルームは会員になると年中無休で２４時間使用ができるのを売りにしているところが増加してきており、特に夜間は近所の住民からエアーコンプレッサーの騒音で苦情が生ずるという問題があった。
【０００８】
特許文献２〜４のいずれの発明も、トレーニングルーム内の酸素濃度センサーの検知によって昼夜関係なくエアーコンプレッサーを稼働させる制御であるので、トレーニングルームは会員になると年中無休で２４時間使用ができるのを売りにしているところが増加してきていることから、特に夜間は近所の住民からエアーコンプレッサーの騒音で苦情が生ずるという問題があった。
【０００９】
本考案はこうした問題に鑑み創案されたもので、夜間に近所の住民からエアーコンプレッサーの騒音の苦情が生じないで、年中無休で２４時間使用ができるトレーニングルームを実現する酸素環境制御システムを提供することを課題とする。
【課題を解決するための手段】
【００１０】
請求項１に記載の低酸素環境制御システムは、低酸素室の室内を任意の酸素濃度の低酸素環境にする低酸素環境制御システムであって、窒素を発生させる窒素ガス発生手段と、前記窒素ガス発生手段に空気を送り込むエアーコンプレッサーと、前記窒素ガス発生手段で発生した窒素を貯留する貯留タンクと、制御手段と、を備え、前記制御手段が、予め定めた時間帯のときは前記エアーコンプレッサーを非稼働状態にして、前記時間帯以外のときには前記エアーコンプレッサーを稼働可能状態にする制御をし、前記低酸素室への窒素ガスの供給は前記貯留タンクからのみとし、かつ、前記エアーコンプレッサー非稼働状態の前記定めた時間帯に、前記低酸素室の予め設定した低酸素濃度を維持するために送給する窒素ガスの体積に前記低酸素室の圧力を乗じた乗算値を、前記エアーコンプレッサーで増圧可能な前記貯留タンク内の予め設定した圧力で除した値を超える値を前記貯留タンクの内容積とすることを特徴とする。
【００１１】
請求項２に記載の低酸素環境制御システムは、請求項１において、前記定めた時間帯以外のときは、前記制御手段により、前記貯留タンク内の窒素ガスを測定する圧力測定手段が測定した圧力が前記時間帯に前記低酸素室に必要な窒素ガスを送給可能とするための予め定めた圧力以下のときに、前記エアーコンプレッサー及び前記窒素ガス発生手段を稼働させて外気から窒素ガスを分離して前記窒素ガスを前記貯留タンク内に送給し、前記貯留タンク内の窒素ガスの圧力を前記予め定めた圧力に維持する制御をすることを特徴とする。
【００１２】
請求項３に記載の低酸素環境制御システムは、請求項１又は２において、前記貯留タンクからの窒素ガスの流動を制御する窒素ガスストップ弁と、前記貯留タンクから前記低酸素室内に供給する窒素の流量を調整する流量調整弁と、前記低酸素室内の酸素濃度を測定する酸素濃度測定手段と、前記低酸素室内の炭酸ガス濃度を測定する炭酸ガス濃度測定手段と、前記低酸素室内の空気を排出する排気手段と、前記低酸素室内へ外気を取り入れる送風手段と、前記低酸素室内の空気を循環させる空調機と、を備え、前記酸素濃度測定手段で測定した酸素濃度が予め定めた濃度から変動したときは、前記制御手段により予め定めた酸素濃度になるまで、前記流量調整弁により前記貯留タンクからの窒素ガスの流量を調整し、前記低酸素室内空気の排気をする前記排気手段をＯＮ−ＯＦＦ制御し、外気を取り入れる前記送風手段をＯＮ−ＯＦＦ制御し、前記空調機で前記低酸素室内の空気を循環させる制御をすることを特徴とする。
【００１３】
請求項４に記載の低酸素環境制御システムは、請求項１〜３のいずれかにおいて、前記低酸素室の室内の酸素濃度を予め定めた低酸素濃度に低下させるときは、前記制御手段により、前記窒素ガスストップ弁を開にし、前記酸素濃度測定手段による酸素濃度が予め定めた酸素濃度になるまで、前記貯留タンク内の前記窒素ガスを前記流量調整弁により流量を調整しながら前記低酸素室内に送給し、前記排気手段及び前記送風手段をＯＦＦさせ、前記空調機により前記低酸素室内の空気を循環させる制御をすることを特徴とする。
【００１４】
請求項５に記載の低酸素環境制御システムは、請求項１〜４のいずれかにおいて、前記炭酸ガス濃度測定手段による炭酸ガス濃度が予め定めた炭酸ガス濃度を超えたときには、前記制御手段により、前記窒素ガスストップ弁を閉にし、前記排気手段をＯＮさせて前記低酸素室内空気を排気し、前記送風手段をＯＮさせて外気を取り入れ、前記空調機で前記低酸素室内の空気を循環させる制御をすることを特徴とする。
【００１５】
請求項６に記載の低酸素環境制御システムは、請求項１〜５のいずれかにおいて、前記酸素濃度測定手段による酸素濃度が予め定めた酸素濃度より下回ったときは、前記制御手段により、前記窒素ガスストップ弁を閉にして前記流量調整弁を絞って、前記排気手段、前記送風手段及び前記空調機をＯＮさせて動作させることを特徴とする。
【００１６】
請求項７に記載の低酸素環境制御システムは、請求項１〜５のいずれかにおいて、前記窒素ガス発生手段により分離された酸素を貯留する酸素タンクと、前記流量調整弁の上流側でかつ前記窒素ガスストップ弁の下流側で、前記貯留タンクに接続された配管と前記酸素タンクに接続された配管との合流点に設けた三方切替弁と、前記酸素タンクと前記三方切換弁との間に設けた酸素ストップ弁と、を備え、前記酸素濃度測定手段による酸素濃度が予め定めた酸素濃度より下回ったときは、前記制御手段により、前記窒素ガスストップ弁を閉にして前記酸素ストップ弁を開にして、前記三方切換弁を酸素側に切り換えて前記酸素タンクからの酸素を前記流量調整弁で流量調整しながら前記低酸素室へ送給し、前記排気手段、前記送風手段及び前記空調機をＯＮさせて動作させることを特徴とする。
【考案の効果】
【００１７】
請求項１に記載の低酸素環境制御システムは、トレーニング室なる低酸素室の室内環境の低酸素濃度を任意の酸素濃度にすることができ、人体に安全な環境をつくり、前記低酸素環境制御システムの構成を簡易にして安価にできる。そして、既存のトレーニング室に本考案の低酸素環境制御システムを設置することができ低酸素室に変えることができる。
【００１８】
また、トレーニング室なる低酸素室を年中にわたり２４時間連続使用する場合、予め定めた時間帯として夜間の時間帯を設定した場合にはその時間帯においてはエアーコンプレッサーの稼働を停止させながらトレーニング室に低酸素濃度を維持させるための窒素を送給することができるので、近隣に住宅地等があり特に夜間は騒音を抑制しなければ運営できない立地にあっても、近所に住宅地等があり特に夜間は騒音を抑制しなければ営業ができない立地にあっても、夜間は静粛な状態で窒素ガスをトレーニング室に送給できることから２４時間稼働を近所に迷惑にならずできる。
【００１９】
請求項２に記載の低酸素環境制御システムは、夜間などの予め定めた時間帯においてエアーコンプレッサー及び窒素ガス発生手段を停止させても貯留タンクからの貯留されている窒素ガスのみの送給状態になっても前記時間帯にトレーニング室等の低酸素室の低酸素濃度を維持させることができる。
【００２０】
請求項３に記載の低酸素環境制御システムは、低酸素室の扉の開閉などにより前記低酸素室の室内の酸素濃度が予め定めた低酸素濃度から変動したときには、予め定めた酸素濃度に回復させるように、低酸素室内の空気を循環させながら、外気の低酸素室内への取り入れの制御と、前記低酸素室内の空気の排出の制御と、前記窒素ガスの前記低酸素室内への送給の制御をするので、酸素濃度が管理範囲から外れたという変動を検出して酸素濃度を管理範囲内にすることができる。
【００２１】
請求項４に記載の低酸素環境制御システムは、低酸素室内の空気を循環させながら、外気の低酸素室内への取り入れを停止し、前記低酸素室内の空気の排出を停止させて、前窒素ガスを前記低酸素室内に送給するので、短時間で前記低酸素室の室内の酸素濃度を予め定めた低酸素濃度に低下させることができる。
【００２２】
請求項５に記載の低酸素環境制御システムは、多人数の人が同時にトレーニングし、そのトレーニングをする人達の呼吸による炭酸ガス濃度が予め定めた炭酸ガス濃度より増加したときに、人体に安全な炭酸ガス濃度未満に短時間で低下させることができ、トレーニングする人にめまい、吐き気、頭痛などの悪影響を与えることなく安全にトレーニングを継続することができる。また、体力的に弱い高齢者や障害者の場合には特に早急な対応が求められるが、早急に空気を入れ替え酸素濃度を高めて回復させることができるので安全にトレーニングを継続することができる。
【００２３】
請求項６に記載の低酸素環境制御システムは、多人数の人が同時にトレーニングし、そのトレーニングをする人達の呼吸による酸素の消費により、酸素濃度が予め定めた酸素濃度未満に低下したときは、早急に酸素濃度を高めることができるので、トレーニングする人にめまい、吐き気、頭痛などの悪影響を与えることなく安全にトレーニングを継続することができる。また、体力的に弱い高齢者や障害者の場合には特に早急な対応が求められるが、早急に酸素濃度を高めて回復させることができるので安全にトレーニングを継続することができる。
【００２４】
請求項７に記載の低酸素環境制御システムは、酸素濃度測定手段１０で測定した酸素濃度が予め定めた酸素濃度を大きく急に下回ったときに、早急に酸素濃度を高めることができるので、トレーニングする人にめまい、吐き気、頭痛などの悪影響を与えることなく安全にトレーニングを継続することができる。
【図面の簡単な説明】
【００２５】
【図１】本考案の貯留タンク、酸素タンク及び窒素ガス濃度測定手段を設けた低酸素環境制御システムの構成を説明する図である。
【図２】本考案の貯留タンク及び酸素タンクを設け、窒素ガス濃度測定手段を設けていない低酸素環境制御システムの構成を説明する図である。
【図３】本考案の酸素タンクを設けず貯留タンク及び窒素ガス濃度測定手段を設けた低酸素環境制御システムの構成を説明する図である。
【図４】本考案の貯留タンクを設け、酸素タンクや窒素ガス濃度測定手段を設けていない低酸素環境制御システムの構成を説明する図である。
【図５】一日の時間のうち、予め定めた時間帯の説明図である。
【考案を実施するための形態】
【００２６】
本考案の低酸素環境制御システム１は、低酸素室３０内、例えばトレーニング室内を、健常者の高所におけるトレーニング、又は、高齢者や障害者の健康維持・体力維持トレーニングをするときの任意で予め定めた低酸素濃度の環境にすることができる。また、前記トレーニング室を住宅街に設置した場合であっても予め定めた時間帯Ａ例えば夜間のときに騒音を発生させないので、前記トレーニング室を住宅地や商業地に設けて２４時間稼働させても近所の民家から苦情が生じない。
【００２７】
本考案の低酸素環境制御システム１は、低酸素室３０の室内を任意の酸素濃度の低酸素環境にする低酸素環境制御システム１であって、図1又は図２に示すように、窒素を発生させる窒素ガス発生手段２と、前記窒素ガス発生手段２に空気を送り込むエアーコンプレッサー３と、前記窒素ガス発生手段２で発生した窒素ガスを貯留する貯留タンク５０と、酸素タンク１５と、制御手段８と、を備え、あるいは、図３又は図４に示すように、窒素を発生させる窒素ガス発生手段２と、前記窒素ガス発生手段２に空気を送り込むエアーコンプレッサー３と、前記窒素ガス発生手段２で発生した窒素を貯留する貯留タンク５０と、制御手段８と、を備えている。前記酸素タンク１５を設ける形態と設けない形態がある。
【００２８】
また、トレーニング室には図１又は図３に示すように、送風手段６、空調機７、排気手段５、酸素濃度測定手段１０、炭酸ガス濃度測定手段１１、窒素ガス濃度測定手段１２と、を備え、あるいは、図２又は図４に示すように、送風手段６、空調機７、排気手段５、酸素濃度測定手段１０、炭酸ガス濃度測定手段１１と、を備えている。前記窒素ガス濃度測定手段１２を設ける形態と設けない形態がある。また、トレーニング室等の低酸素室３０は密閉構造にした方が、低酸素室３０内の空気の制御をするための電力を費やすので省エネ効果が期待できる。
【００２９】
前記エアーコンプレッサー３と前記窒素ガス発生手段２との間は配管１３ａで空気を送給し、前記窒素ガス発生手段２と前記貯留タンク５０との間は配管１３ｂで窒素ガスを送給し、前記貯留タンク５０と前記低酸素室３０との間は配管１８で窒素ガスを送給している。そして、前記窒素ガス発生手段２と前記酸素タンク１５との間は配管１４ａで酸素を送給し、前記酸素タンク１５からの酸素は配管１４ｂ内を経て配管１８を経て前記低酸素室３０に送給される。前記低酸素室３０の室内の圧力は、窒素ガスを送り込むので室外の大気圧より少し高めになることから、扉２０を開にしたときに前記低酸素室３０の室内への外気の入り込みを抑制することができる。
【００３０】
また、前記制御手段８と、前記エアーコンプレッサー３、前記窒素ガス発生手段２、圧力測定手段５１、窒素ガスストップ弁１７、流量調整弁４、排気手段５、送風手段６、空調機７、酸素濃度測定手段１０及び炭酸ガス濃度測定手段１１とは図１〜図４のいずれにも示すように配線９で接続されている。また、図１又は図２に示すように前記酸素タンク１５を設けた場合、前記制御手段８と酸素ストップ弁１６又は三方切換弁１９とは配線９で接続され、図１又は図３に示すように前記窒素ガス濃度測定手段１２を設けた場合、前記制御手段８と前記窒素ガス濃度測定手段１２とは配線９で接続されている。
【００３１】
本考案の低酸素環境制御システム１は、図1〜図４のいずれかに示すように、低酸素室３０の室内を任意の酸素濃度の低酸素環境にする低酸素環境制御システム１であって、窒素を発生させる窒素ガス発生手段２と、前記窒素ガス発生手段２に空気を送り込むエアーコンプレッサー３と、前記窒素ガス発生手段２で発生した窒素ガスを貯留する貯留タンク５０と、制御手段８と、を備え、前記制御手段８が、予め定めた時間帯Ａのときは前記エアーコンプレッサー３を非稼働状態にして、前記時間帯Ａ以外のときには前記エアーコンプレッサー３を稼働可能状態にする制御をし、前記低酸素室３０への窒素ガスの供給は前記貯留タンク５０からのみとし、かつ、前記エアーコンプレッサー非稼働状態の前記定めた時間帯に、前記低酸素室３０の予め設定した低酸素濃度を維持するために送給する窒素ガスの体積に前記低酸素室３０の圧力を乗じた乗算値を、前記エアーコンプレッサー３で増圧可能な前記貯留タンク５０内の予め定めた圧力で除した値を超える値を前記貯留タンク５０の内容積とする。前記送給する窒素ガスの体積は、前記エアーコンプレッサー非稼働状態の前記定めた時間帯Ａに前記低酸素室３０に送給する窒素ガスのトータルの体積を意味する。また、前記低酸素室３０の圧力は、前記低酸素室３０内を目標とする低酸素濃度にしたときの圧力を測定し該圧力を意味する。
【００３２】
前記定めた時間帯以外の時間帯Ｂのときは、前記制御手段８が、前記貯留タンク５０内の窒素ガスを測定する圧力測定手段５１が測定した圧力が前記時間帯Ａに前記低酸素室３０に必要な窒素ガスを送給可能とするための予め定めた圧力以下のときに、前記エアーコンプレッサー３及び前記窒素ガス発生手段２を稼働させて外気から窒素ガスを分離して前記窒素ガスを前記貯留タンク５０内に送給し、前記貯留タンク５０内の窒素ガスの圧力を前記予め定めた圧力に維持する制御をする。また、前記制御手段８は、前記圧力測定手段５１が測定した圧力が予め定めた圧力超になると、前記エアーコンプレッサー３及び前記窒素ガス発生手段２の稼働を止める。
【００３３】
前記エアーコンプレッサー３は、外気を前記窒素ガス発生手段２に送り込み、前記窒素ガス発生手段２で発生させた窒素ガスを、前記貯留タンク５０に送り込み前記貯留タンク５０内に充満しつつある窒素ガスの増圧を行う。前記エアーコンプレッサー３を止めると、前記窒素ガスの前記貯留タンク５０内への送り込みが止まる。
【００３４】
前記エアーコンプレッサー３は、前記制御手段８により、図５に示すように予め定めた時間帯Ａのときは前記エアーコンプレッサー３を非稼働状態にして、前記時間帯Ａ以外のときの時間帯Ｂには前記エアーコンプレッサーを稼働可能状態にする制御がされる。予め定めた時間帯Ａとして、図５に示すように例えば夜２１時から翌日の朝６時までの時間帯Ａと設定すると、前記エアーコンプレッサー３は、夜２１時から翌日の朝６時までの時間帯Ａの予め定めた時間帯Ａは非稼働にし、朝６時から夜２１時までの時間帯Ｂでは稼働可能状態に制御される。
【００３５】
そして、前記エアーコンプレッサー３は、例えば朝６時から夜２１時までの時間帯Ｂの稼働可能状態のときに、前記制御手段８により、前記貯留タンク５０に取り付けた前記貯留タンク５０内の窒素ガスの圧力を測定する圧力測定手段５１の測定した圧力が、前記低酸素室３０に必要な窒素ガスを送給可能とするための予め定めた圧力以下のときに稼働し、前記貯留タンク５０内の窒素ガスの圧力が前記予め定めた圧力に到達すると停止する。これにより、前記稼働状態のときに前記貯留タンク５０内の窒素ガスの圧力が前記予め定めた圧力に維持される。
【００３６】
前記時間帯Ｂのときに前記貯留タンク５０内に予め定めた圧力の窒素ガスが充満して貯留されると、前記時間帯Ａのときに低酸素室３０に送給するために必要な窒素ガス量が確保された状態となる。そして、前記時間帯Ａのときには、制御手段８により、低酸素室３０に設けた酸素濃度測定手段１０により測定した酸素濃度が予め定めた低酸素濃度を超えた場合に前記貯留タンク５０内の窒素ガスが低酸素室３０に送給される。
【００３７】
前記窒素ガス発生手段２は、外気から窒素ガスと酸素を分離する手段であり、例えば、空気を送り込み、膜を通過しなかった窒素を取り出す膜分離方式の装置、又は、空気から吸着材で酸素と窒素ガスを分離するＰＳＡ方式の装置などがあり、いずれの窒素ガス発生装置でもよい。これらの窒素ガス発生装置は一般的に約９９％の窒素ガス濃度の窒素ガスを発生させることができ、前記窒素ガス発生器としては空気から窒素ガスと酸素とを分離させることができるものであればよい。
【００３８】
前記窒素ガス発生手段２で発生させた窒素ガスは、配管１３ｂを介して前記貯留タンク５０に送給される。
【００３９】
前記貯留タンク５０は、前記エアーコンプレッサー３が稼働状態に制御されている時間帯Ｂに、前記窒素ガス発生手段２で発生させ送り込まれた窒素ガスを貯留し、前記時間帯Ａになる直前の前記時間帯Ｂの瞬間においては貯留される窒素ガス量は少なくとも、前記エアーコンプレッサー非稼働状態の前記定めた時間帯Ａに前記低酸素室３０の予め設定した低酸素濃度を維持するために送給されるべき窒素ガス量を超える窒素ガス量である。
【００４０】
よって、前記貯留タンク５０の内容積は、前記エアーコンプレッサー非稼働状態の前記定めた時間帯に、前記低酸素室３０の予め設定した低酸素濃度を維持するために送給する窒素ガスの体積に前記低酸素室３０の圧力を乗じた乗算値を、前記エアーコンプレッサー３で増圧可能な前記貯留タンク５０内の予め設定した圧力で除した値を超える値にする。また、前記貯留タンク５０内の予め設定した圧力は、前記制御手段８の中の記憶部に記憶される。
【００４１】
前記貯留タンク５０への窒素ガスの送り込みについては、前記制御手段８は、前記貯留タンク５０内の窒素ガスを測定する圧力測定手段５１が測定した圧力が前記貯留タンク５０内の予め設定した圧力以下のときに、前記エアーコンプレッサー３及び前記窒素ガス発生手段２を稼働させて外気から窒素ガスを分離して前記窒素ガスを前記貯留タンク５０内に送給し、一方前記圧力測定手段５１が測定した圧力が前記貯留タンク５０内の予め設定した圧力に到達すると前記エアーコンプレッサー３及び前記窒素ガス発生手段２を稼働停止させる制御をし、前記貯留タンク５０内の窒素ガスの圧力を前記予め定めた圧力に維持する制御をする。
【００４２】
前記流量調整弁４は、前記貯留タンク５０と前記低酸素室３０とをつなぐ配管１８の中途に設置され、前記低酸素室３０へ送り出される窒素ガスの流量を前記制御手段８の指示により増加させたり減少させたりする調整をする。また、前記酸素タンク１５が設けられた場合であって、前記低酸素室３０に送給させる気体が酸素のみになった場合は酸素の流量を前記制御手段８の指示により増加させたり減少させたりする調整をする。
【００４３】
前記低酸素室３０に送給する気体は、図１〜図４に示すように、前記貯留タンク５０からの窒素ガス、前記送風手段６からの空気があり、さらに図１又は図２に示すように酸素タンク１５が設けられている場合は前記酸素タンク１５からの酸素がある。また、制御手段８は、酸素が流動する配管１４ｂに設けた酸素ストップ弁１６の開閉、窒素ガスが流動する配管１８に設けた窒素ガスストップ弁１７の開閉、及び配管１４ｂからの酸素又は配管１８からの窒素ガスのうちの一方の気体のみを前記低酸素室３０に送給可能にする三方切換弁１９の切換を制御する。
【００４４】
前記酸素濃度測定手段１０は酸素濃度測定センサーであり低酸素室３０内の酸素濃度を測定し、前記炭酸ガス濃度測定手段１１は炭酸ガス濃度測定センサーであり低酸素室３０内の炭酸ガス濃度を測定し、前記窒素ガス濃度測定手段１２は窒素ガス濃度測定センサーであり前記低酸素室３０内の窒素ガス濃度を測定する。前記酸素濃度測定手段１０は予め定めた低酸素濃度になっているかを把握する目的で設置され、前記炭酸ガス濃度測定手段１２は人体にめまい、吐き気、頭痛などの悪影響が生じない、予め定めた炭酸ガス濃度をクリアしているかを把握するために設置される。また、前記窒素ガス濃度測定手段１１は窒素ガス濃度が異常値か否かを判断する閾値となる、予め定めた窒素ガス濃度に対してどうかを把握するために設ける。
【００４５】
予め定めた酸素濃度及び予め定めた炭酸ガス濃度は、前記制御手段８の中の記憶部に記憶される。また、前記炭酸ガス濃度測定手段１２を設けた場合は追加として予め定めた窒素ガス濃度も前記制御手段８の中の記憶部に記憶される。なお、前記酸素濃度、前記炭酸ガス濃度又は前記窒素ガス濃度の記憶部への入力設定は可変可能にされている。
【００４６】
また、前記酸素濃度測定手段１０及び前記炭酸ガス濃度測定手段１１の設置数は、図１〜図４には例として２か所設けているが、前記空調機７のように前記低酸素室３０の室内の空気を循環させる手段が設けてある場合は少なくとも１か所あればよい。
【００４７】
前記排気手段５は、例えば排気扇があり、前記低酸素室３０の室内の空気を排出することができる機器であればいずれの機器でもよい。制御手段８により、前記排気手段５をＯＮさせて低酸素室３０内の空気を外部に排出し、前記排気手段５をＯＦＦさせて低酸素室３０内の空気を外部に排出しないという制御をする。
【００４８】
前記送風手段６は、例えば送風機があり、前記低酸素室３０の室内へ外気を取り入れることができる機器であればいずれの機器でもよい。制御手段８により、前記送風手段６をＯＮさせて低酸素室３０へ外部の空気を取り入れ、前記送風手段５をＯＦＦさせて低酸素室３０への外部の空気の取り入れを止めるという制御をする。
【００４９】
前記空調機７は、低酸素室３０内の気温調整及び室内の空気を循環させる機器である。前記空調機７は、前記低酸素室３０へは、窒素ガス又は酸素が別々に送り込まれてくるので、窒素ガス又は酸素が低酸素室３０内の偏った範囲に存しないように低酸素室３０内の空気を常時循環させる役目がある。よって、低酸素室３０内の空気の酸素濃度、窒素ガス濃度及び炭酸ガス濃度の均一化を図っている。
【００５０】
前記制御手段８は、制御線９で前記酸素濃度測定手段１０、前記炭酸ガス濃度測定手段１１、前記窒素ガス濃度測定手段１２、前記窒素ガス発生手段２、前記エアーコンプレッサー３、前記流量調整弁４、前記排気手段５、前記送風手段６、前記空調機７、窒素ガスストップ弁１７と接続されており、図１又は図２に示すように前記酸素タンク１５を備えた場合はさらに酸素ストップ弁１６及び三方切換弁１９と接続されている。
【００５１】
そして、前記制御手段８は、前記酸素濃度測定手段１０からの酸素濃度情報、前記炭酸ガス濃度測定手段１１からの炭酸ガス濃度情報、前記窒素ガス濃度測定手段１２からの窒素ガス濃度情報を取得して、前記窒素ガス発生手段２、前記エアーコンプレッサー３、前記流量調整弁４、前記窒素ガスストップ弁１７、前記排気手段５、前記送風手段６及び前記空調機７の稼働を制御する。前記酸素タンク１５を備える場合は、さらに前記酸素ストップ弁１６及び前記三方切換弁１９の動作も制御する。
【００５２】
次に、前記低酸素環境制御システム１は、例えば図５に示すように２１時から６時までの予め設定された時間帯Ａではなく、６時から２１時までの他の時間帯Ｂであるときに、前記制御手段８により、前記低酸素室３０の室内の酸素濃度を予め定めた低酸素濃度に低下させるときは、エアーコンプレッサー３を稼働させることが可能であることから、前記酸素濃度測定手段１０からの酸素濃度情報が予め定めた酸素濃度になるまで、前記エアーコンプレッサー３及び前記窒素ガス発生手段２を稼働させて前記窒素ガスを前記貯留タンク５０内に貯留させて、前記貯留タンク５０内に貯留されている窒素ガスを、窒素ガスストップ弁１７を開にし前記流量調整弁４で窒素ガスの流量を調整して前記低酸素室３０の室内に送給し、前記排気手段５及び前記送風手段６をＯＦＦさせ、前記空調機７により室内の空気を循環させる制御をする。これにより、低酸素室３０の室内の酸素濃度を予め定めた低酸素濃度にする。
【００５３】
予め設定された時間帯Ａであるときには、エアーコンプレッサー３を稼働させないので、前記低酸素室３０の室内の酸素濃度を予め定めた低酸素濃度に低下させるときは、前記酸素濃度測定手段１０からの酸素濃度情報が予め定めた酸素濃度になるまで、制御手段８により、窒素ガスストップ弁１７を開にし、前記流量調整弁４の窒素ガス量の調整をしながら前記貯留タンク５０内に貯留されている窒素ガスを前記低酸素室３０の室内に送給し、前記排気手段５及び前記送風手段６をＯＦＦさせ、前記空調機７により室内の空気を循環させる制御をする。なお、三方切換弁１９を設けた場合は三方切換弁１９を窒素ガス側に切り換える。これにより、低酸素室３０の室内の酸素濃度を予め定めた低酸素濃度にする。
【００５４】
前記窒素ガス発生手段２から発生する窒素ガス濃度は９９％レベルである。前記低酸素室３０の室内の前記酸素濃度測定手段１０による酸素濃度情報の酸素濃度が予め定めた低酸素濃度に到達すると、制御手段８は、前記窒素ガスストップ弁１７を閉にして前記貯留タンク５０からの窒素ガスの送給を停止し、前記空調機７により室内の空気を循環させる制御をする。なお、前記酸素濃度測定手段１０とともに窒素ガス測定手段１２で窒素ガス濃度を併用して使用し測定してもよい。
【００５５】
次に、前記酸素濃度情報の酸素濃度が予め定めた酸素濃度から上下に変動したときは、予め定めた酸素濃度になるまで、制御手段８は、前記窒素ガスストップ弁１７を開閉し、前記流量調整弁４により窒素ガスの流量を調整し、室内空気の排気をする前記排気手段５をＯＮ−ＯＦＦ制御し、外気を送給する前記送風手段６をＯＮ−ＯＦＦ制御し、前記空調機７で室内の空気を循環させる制御をする。また、酸素タンク１５を設けた場合は、前記制御手段８は、酸素ストップ弁１６の開閉、及び前記三方切換弁１９の切換の制御を行う。
【００５６】
低酸素室３０の扉２０からのトレーニング者の出入り、トレーニング者の酸素の使用量、前記送風手段６により外気すなわち酸素の室内への取り入れなどにより、低酸素室３０内の酸素濃度や窒素ガス濃度は変動する。例えば、酸素濃度測定手段１０で測定した酸素濃度が予め定めた酸素濃度より低下したときは、制御手段８により、前記窒素ガスストップ弁１７を閉にして前記流量調整弁４を絞って窒素ガスの送給を停止させ、室内空気の排気をする前記排気手段５をＯＮさせ、外気を取り入れる前記送風手段６をＯＮさせ、前記空調機７をＯＮさせて室内の空気を循環させる制御をする。これにより、人体にとって必要な酸素濃度にすることができる。
【００５７】
さらに、酸素濃度測定手段１０で測定した酸素濃度が予め定めた酸素濃度を大きく急に下回ったときは、図１又は図２に示すように、前記窒素ガス発生手段２により分離された酸素を貯留する酸素タンク１５と、前記酸素タンク１５から前記流量調整弁４との間の配管１４ｂに設けた酸素ストップ弁１６と、前記低酸素室３０につながる配管１８と前記配管１４ｂとの合流点に設けた三方切替弁１９と、を備えて、前記制御手段８により、前記窒素ガスストップ弁１７を閉にして前記貯留タンク５０からの窒素ガスの送給を停止し、前記酸素ストップ弁１６を開にして前記酸素タンク１５からの酸素の送給を開始し、前記三方切換弁１９を配管１４ｂ側のみ開にして酸素のみを流動可能にし、前記排気手段５、前記送風手段６及び前記空調機７をＯＮさせて稼働させる制御を実施する。これにより、万一大幅な酸素濃度低下時になっても早急に短時間で酸素濃度を増加させることができ、人体にとって安全な環境をつくることができる。
【００５８】
また、酸素濃度測定手段１０で測定した酸素濃度が予め定めた酸素濃度より増加したときは、制御手段８により、前記窒素ガスストップ弁１７を開にして、前記三方切換弁１９を設けた場合は前記三方切換弁１９を前記貯留タンク５０からの窒素ガスのみを流動可能に切換えて、前記流量調整弁４により窒素ガスの流量を増加させ、低酸素室３０の室内空気の排気をする前記排気手段５をＯＮさせ、外気を取り入れる前記送風手段６をＯＦＦさせ、前記空調機７で室内の空気を循環させる制御をする。これにより、低酸素室３０の室内の酸素濃度を予め定めた酸素濃度にすることができる。
【００５９】
次に、低酸素室３０内の炭酸ガス濃度測定手段１１が測定した炭酸ガス濃度が予め定めた炭酸ガス濃度を超えたときには、トレーニング中等の人体に悪影響が生ずるのを未然に防止するため、早期に低酸素室３０内の空気を排出し外気と入れ替えるために、前記制御手段８により、前記貯留タンク５０からの窒素ガスの送給を前記窒素ガスストップ弁１７を閉にして停止させ、前記流量調整弁４を絞って、これ以上酸素濃度が低下するのを防止し、前記排気手段５をＯＮにして室内の濃度が高い炭酸ガスを含む空気を排気し、前記送風手段６をＯＮにして外気を取り入れる。そして、人体に異常となる炭酸ガス濃度の空気を前記低酸素室３０内において偏らせないようにするために前記空調機７をＯＮにして室内の空気を循環させる制御をする。なお、酸素タンク１５を設けた場合には、前記制御手段８により、さらに酸素ストップ弁１６を閉にし、三方切換弁１９はそのままとし、流量調整弁４が絞る制御を行う。これにより、低酸素室３０の室内の炭酸ガス濃度を予め定めた炭酸ガス濃度にすることができる。
【００６０】
また、低酸素室３０内の炭酸ガス濃度が高くなるのを抑制させるために、前記低酸素室３０内に炭酸ガス除去手段２１を備えてもよい。前記炭酸ガス除去手段２１として例えば炭酸ガス吸着剤がある。炭酸ガスが低酸素室３０内に充満するのを抑制するため省エネ効果が期待できる。
【符号の説明】
【００６１】
１          低酸素環境制御システム
２          窒素ガス発生手段
３          エアーコンプレッサー
４          流量調整弁
５          排気手段
６          送風手段
７          空調機
８          制御手段
９          制御線
１０        酸素濃度測定手段
１１        炭酸ガス濃度測定手段
１２        窒素ガス濃度測定手段
１３        配管
１４        配管
１５        酸素タンク
１６        酸素ストップ弁
１７        窒素ガスストップ弁
１８        配管
１９        三方切換弁
２０        扉
２１        炭酸ガス除去手段
３０        低酸素室
５０        貯留タンク
５１        圧力測定手段
Ａ          時間帯
Ｂ          時間帯
【図１】
0003226776.tif 000003
【図２】
0003226776.tif 000004
【図３】
0003226776.tif 000005
【図４】
0003226776.tif 000006
【図５】
0003226776.tif 000007
【手続補正書】
【提出日】令和2年3月10日(2020.3.10)
【手続補正１】
【補正対象書類名】明細書
【補正対象項目名】００１３
【補正方法】変更
【補正の内容】
【００１３】
請求項４に記載の低酸素環境制御システムは、請求項３において、前記低酸素室の室内の酸素濃度を予め定めた低酸素濃度に低下させるときは、前記制御手段により、前記窒素ガスストップ弁を開にし、前記酸素濃度測定手段による酸素濃度が予め定めた酸素濃度になるまで、前記貯留タンク内の前記窒素ガスを前記流量調整弁により流量を調整しながら前記低酸素室内に送給し、前記排気手段及び前記送風手段をＯＦＦさせ、前記空調機により前記低酸素室内の空気を循環させる制御をすることを特徴とする。
【手続補正２】
【補正対象書類名】明細書
【補正対象項目名】００１４
【補正方法】変更
【補正の内容】
【００１４】
請求項５に記載の低酸素環境制御システムは、請求項３又は４において、前記炭酸ガス濃度測定手段による炭酸ガス濃度が予め定めた炭酸ガス濃度を超えたときには、前記制御手段により、前記窒素ガスストップ弁を閉にし、前記排気手段をＯＮさせて前記低酸素室内空気を排気し、前記送風手段をＯＮさせて外気を取り入れ、前記空調機で前記低酸素室内の空気を循環させる制御をすることを特徴とする。
【手続補正３】
【補正対象書類名】明細書
【補正対象項目名】００１５
【補正方法】変更
【補正の内容】
【００１５】
請求項６に記載の低酸素環境制御システムは、請求項３〜５のいずれかにおいて、前記酸素濃度測定手段による酸素濃度が予め定めた酸素濃度より下回ったときは、前記制御手段により、前記窒素ガスストップ弁を閉にして前記流量調整弁を絞って、前記排気手段、前記送風手段及び前記空調機をＯＮさせて動作させることを特徴とする。
【手続補正４】
【補正対象書類名】明細書
【補正対象項目名】００１６
【補正方法】変更
【補正の内容】
【００１６】
請求項７に記載の低酸素環境制御システムは、請求項３〜５のいずれかにおいて、前記窒素ガス発生手段により分離された酸素を貯留する酸素タンクと、前記流量調整弁の上流側でかつ前記窒素ガスストップ弁の下流側で、前記貯留タンクに接続された配管と前記酸素タンクに接続された配管との合流点に設けた三方切替弁と、前記酸素タンクと前記三方切換弁との間に設けた酸素ストップ弁と、を備え、前記酸素濃度測定手段による酸素濃度が予め定めた酸素濃度より下回ったときは、前記制御手段により、前記窒素ガスストップ弁を閉にして前記酸素ストップ弁を開にして、前記三方切換弁を酸素側に切り換えて前記酸素タンクからの酸素を前記流量調整弁で流量調整しながら前記低酸素室へ送給し、前記排気手段、前記送風手段及び前記空調機をＯＮさせて動作させることを特徴とする。
【手続補正５】
【補正対象書類名】実用新案登録請求の範囲
【補正対象項目名】請求項４
【補正方法】変更
【補正の内容】
【請求項４】
前記低酸素室の室内の酸素濃度を予め定めた低酸素濃度に低下させるときは、前記制御手段により、前記窒素ガスストップ弁を開にし、前記酸素濃度測定手段による酸素濃度が予め定めた酸素濃度になるまで、前記貯留タンク内の前記窒素ガスを前記流量調整弁により流量を調整しながら前記低酸素室内に送給し、前記排気手段及び前記送風手段をＯＦＦさせ、前記空調機により前記低酸素室内の空気を循環させる制御をすることを特徴とする請求項３に記載の低酸素環境制御システム。
【手続補正６】
【補正対象書類名】実用新案登録請求の範囲
【補正対象項目名】請求項５
【補正方法】変更
【補正の内容】
【請求項５】
前記炭酸ガス濃度測定手段による炭酸ガス濃度が予め定めた炭酸ガス濃度を超えたときには、前記制御手段により、前記窒素ガスストップ弁を閉にし、前記排気手段をＯＮさせて前記低酸素室内空気を排気し、前記送風手段をＯＮさせて外気を取り入れ、前記空調機で前記低酸素室内の空気を循環させる制御をすることを特徴とする請求項３又は４に記載の低酸素環境制御システム。
【手続補正７】
【補正対象書類名】実用新案登録請求の範囲
【補正対象項目名】請求項６
【補正方法】変更
【補正の内容】
【請求項６】
前記酸素濃度測定手段による酸素濃度が予め定めた酸素濃度より下回ったときは、前記制御手段により、前記窒素ガスストップ弁を閉にして前記流量調整弁を絞って、前記排気手段、前記送風手段及び前記空調機をＯＮさせて動作させることを特徴とする請求項３〜５のいずれかに記載の低酸素環境制御システム。
【手続補正８】
【補正対象書類名】実用新案登録請求の範囲
【補正対象項目名】請求項７
【補正方法】変更
【補正の内容】
【請求項７】
前記窒素ガス発生手段により分離された酸素を貯留する酸素タンクと、
前記流量調整弁の上流側でかつ前記窒素ガスストップ弁の下流側で、前記貯留タンクに接続された配管と前記酸素タンクに接続された配管との合流点に設けた三方切替弁と、
前記酸素タンクと前記三方切換弁との間に設けた酸素ストップ弁と、を備え、
前記酸素濃度測定手段による酸素濃度が予め定めた酸素濃度より下回ったときは、前記制御手段により、前記窒素ガスストップ弁を閉にして前記酸素ストップ弁を開にして、前記三方切換弁を酸素側に切り換えて前記酸素タンクからの酸素を前記流量調整弁で流量調整しながら前記低酸素室へ送給し、前記排気手段、前記送風手段及び前記空調機をＯＮさせて動作させることを特徴とする請求項３〜５のいずれかに記載の低酸素環境制御システム。